(57)【要約】【課題】  大容量の記憶領域を必要とせずに、データ放送コンテンツから所望の情報を効率的に検索することが可能な放送受信装置及びその制御方法を提供する。【解決手段】  本発明の放送受信装置では、検索対象決定部１３０は、メモリ１０９から番組情報データを取得し、リモコン１２３で入力された検索キーワードに関連するチャンネルをデータ放送検索の対象チャンネルとして決定する。選局制御部１３１は、検索対象として決定されたチャンネルを順次選局するようにチューナ１０１を制御するとともに、選局されたチャンネルのデータ放送用データを抽出するようにデマルチプレクサ１０３を制御する。データ放送検索部１３２は、メモリ１０９からデータ放送用データを取得し、データ放送コンテンツから検索キーワードに関連する情報を検索する。【選択図】  図１
2010258690.tif 000002
【特許請求の範囲】
【請求項１】
データ放送用データが多重されたデジタル放送信号を受信し、選局処理を行う受信手段と、
前記受信手段により受信されたデジタル放送信号から抽出される複数のチャンネルの番組情報を記憶する記憶手段と、
検索キーワードを入力するための操作手段と、
前記記憶手段により記憶された前記複数のチャンネルの番組情報のうち、入力された前記検索キーワードに関連する番組情報を特定し、特定した番組情報に対応するチャンネルを検索対象のチャンネルとして決定する決定手段と、
決定された前記検索対象のチャンネルを選局するように前記受信手段を制御する制御手段と、
前記受信手段により選局された前記検索対象のチャンネルのデータ放送用データから、入力された前記検索キーワードに関連する情報を検索する検索手段とを備える放送受信装置。
【請求項２】
前記制御手段は、前記決定手段により決定された前記検索対象のチャンネルが複数ある場合、前記検索キーワードとの関連度が高いチャンネルから順に選局するように前記受信手段を制御することを特徴とする請求項１に記載の放送受信装置。
【請求項３】
前記検索手段により検索された、前記検索キーワードに関連する情報が含まれるデータ放送コンテンツのページ情報を画面に表示するように制御する表示制御手段をさらに備えることを特徴とする請求項１または請求項２のいずれかに記載の放送受信装置。
【請求項４】
データ放送用データが多重されたデジタル放送信号を受信し、選局処理を行う受信手段と、
放送ネットワークの種別、放送局名、チャンネル番号の対応関係を示す情報を予め記憶する記憶手段と、
検索キーワードを入力し、かつ、検索対象とする放送ネットワークの種別および／または放送局名を指定するための操作手段と、
前記記憶手段により記憶された情報に基づいて、指定された放送ネットワークの種別および／または放送局名に対応するチャンネル番号を特定し、検索対象のチャンネルを設定する設定手段と、
前記設定手段により設定された前記検索対象のチャンネルを選局するように前記受信手段を制御する制御手段と、
前記受信手段により選局された前記検索対象のチャンネルのデータ放送用データから、入力された前記検索キーワードに関連する情報を検索する検索手段とを備える放送受信装置。
【請求項５】
データ放送用データが多重されたデジタル放送信号を受信し、選局処理を行う受信ステップと、
前記受信ステップで受信したデジタル放送信号から抽出される複数のチャンネルの番組情報を記憶する記憶ステップと、
検索キーワードを入力する操作ステップと、
前記記憶ステップで記憶した前記複数のチャンネルの番組情報のうち、入力された前記検索キーワードに関連する番組情報を特定し、特定した番組情報に対応するチャンネルを検索対象のチャンネルとして決定する決定ステップと、
決定した前記検索対象のチャンネルを選局するように制御する制御ステップと、
選局された前記検索対象のチャンネルのデータ放送用データから、入力された前記検索キーワードに関連する情報を検索する検索ステップとを有する放送受信装置の制御方法。
【請求項６】
データ放送用データが多重されたデジタル放送信号を受信し、選局処理を行う受信ステップと、
放送ネットワークの種別、放送局名、チャンネル番号の対応関係を示す情報を予め記憶する記憶ステップと、
検索キーワードを入力し、かつ、検索対象とする放送ネットワークの種別および／または放送局名を指定する操作ステップと、
前記記憶ステップで記憶した情報に基づいて、指定された放送ネットワークの種別および／または放送局名に対応するチャンネル番号を特定し、検索対象のチャンネルを設定する設定ステップと、
前記設定ステップで設定した前記検索対象のチャンネルを選局するように制御する制御ステップと、
選局された前記検索対象のチャンネルのデータ放送用データから、入力された前記検索キーワードに関連する情報を検索する検索ステップとを有する放送受信装置の制御方法。
【発明の詳細な説明】
【技術分野】
【０００１】
本発明は、データ放送用データが多重されたデジタル放送信号を受信する放送受信装置及びその制御方法に関する。
【背景技術】
【０００２】
地上波デジタル放送やＢＳ（Ｂｒｏａｄｃａｓｔｉｎｇ  Ｓａｔｅｌｌｉｔｅ）／ＣＳ（Ｃｏｍｍｕｎｉｃａｔｉｏｎ  Ｓａｔｅｌｌｉｔｅ）デジタル放送では、ＢＭＬ（Ｂｒｏａｄｃａｓｔ  Ｍａｒｋ−ｕｐ  Ｌａｎｇｕａｇｅ）と呼ばれるマークアップ言語を用いたデータ放送サービスが行われている。データ放送サービスでは、放送番組のストーリーや出演者の略歴等、画像やテキスト、図形等で構成される様々な情報が提供される。ユーザは、番組の放送中や放送前或いは放送後に、データ放送で提供される情報を閲覧することにより、番組や出演者に関する様々な情報を得ることができる。
【０００３】
データ放送用データは、カルーセル伝送方式でデジタル放送信号の各チャンネルの周波数帯域に重畳して伝送される。カルーセル伝送方式とは、複数のパケットに分割した一連のデータグループを繰り返して伝送する方式である。受信機側は、データグループの中の任意のパケットから必要なデータを受信することができる。送信機側からデータが繰り返して伝送されるため、受信機側では任意のタイミングで必要なデータを取得することが可能である。つまり、カルーセル方式では、送信機から受信機への片方向通信にもかかわらず、必要な時に必要なだけのデータを取得できるため、あたかも要求と応答が成立する双方向通信であるかのような操作感を与えることができる。
【０００４】
ここで、データ放送コンテンツは階層構造（ディレクトリ構造）の複数のページで構成されているため、所望の情報がどのページに存在するのかがわかりにくい。ユーザはページを遷移しながら所望の情報を探さなければならず、深い階層のページに所望の情報がある場合はそのページに到達するまでに時間がかかってしまうという問題があった。また、複数のチャンネルのデータ放送コンテンツから所望の情報を探す場合は、複数のチャンネルを順次選局しながら各チャンネルのデータ放送コンテンツを順に閲覧する必要があるため、所望の情報を得るまでの操作が煩雑であった。
【０００５】
このような問題を解決するために、データ放送の全チャンネルのＢＭＬを解析してデータベース化することで、データ放送の視聴選択を容易にする方法が提案されている（特許文献１参照）。
【先行技術文献】
【特許文献】
【０００６】
【特許文献１】特開２００７−２０２０４１号公報
【発明の概要】
【発明が解決しようとする課題】
【０００７】
しかしながら、上述した特許文献１の場合は、データ放送の全チャンネルのデータをデータベース化するために大容量の記憶領域が必要であった。また、データ放送の全チャンネルを選局してデータ収集する必要があるため、データ放送コンテンツから所望の情報を検索する方法としては効率性が不十分であった。特に、データ放送の内容は逐次更新されるため、最新のデータを収集するためには、データ放送の全チャンネルの選局を頻繁に繰り返す必要があり、動作負荷も大きかった。
【０００８】
そこで、本発明は、大容量の記憶領域を必要とせずに、データ放送コンテンツから所望の情報を効率的に検索することが可能な放送受信装置及びその制御方法を提供することを目的とする。
【課題を解決するための手段】
【０００９】
上述した課題を解決するために、本発明に係る放送受信装置は、データ放送用データが多重されたデジタル放送信号を受信し、選局処理を行う受信手段と、  受信手段により受信されたデジタル放送信号から抽出される複数のチャンネルの番組情報を記憶する記憶手段と、検索キーワードを入力するための操作手段と、記憶手段に記憶された複数のチャンネルの番組情報のうち、入力された検索キーワードに関連する番組情報に対応するチャンネルを、検索対象のチャンネルとして決定する決定手段と、検索対象として決定されたチャンネルを選局するように受信手段を制御する制御手段と、受信手段により選局された検索対象のチャンネルのデータ放送用データから、入力された検索キーワードに関連する情報を検索する検索手段とを備える。
【発明の効果】
【００１０】
本発明によれば、検索対象のチャンネルを制限することにより、大容量の記憶領域を必要とせずに、データ放送コンテンツから所望の情報を効率的に検索することが可能となる。
【図面の簡単な説明】
【００１１】
【図１】本発明の実施の形態１に係る放送受信装置の構成を示すブロック図である。
【図２】データ放送コンテンツから検索キーワードに関連する情報を検索する動作について説明するためのフローチャートである。
【図３】データ放送検索画面の例を示す図である。
【図４】データ放送検索結果の画面例を示す図である。
【図５】データ放送画面例を示す図である。
【図６】本発明の実施の形態２に係る放送受信装置の構成を示すブロック図である。
【図７】実施の形態２における、データ放送コンテンツから検索キーワードに関連する情報を検索する動作について説明するためのフローチャートである。
【図８】実施の形態２におけるデータ放送検索画面の例を示す図である。
【発明を実施するための形態】
【００１２】
（実施の形態１）
本発明は、データ放送コンテンツから所望の情報を検索する際に、検索対象とするチャンネルを制限することを特徴とする。データ放送の全チャンネルを選局してデータ収集する必要がないため、大容量の記憶領域を必要とせずに、データ放送コンテンツから所望の情報を効率的に検索することが可能となる。以下に、図面を用いて本発明の実施の形態について説明する。
【００１３】
図１は、本発明の実施の形態１に係る放送受信装置１００の構成を示すブロック図である。放送受信装置１００は、チューナ１０１、復調部１０２、デマルチプレクサ１０３、音声デコーダ１０４、Ｄ／Ａ変換器１０５、映像デコーダ１０６、表示制御部１０７、データ処理部１０８、メモリ１０９、リモコン受光部１１０、制御部１１１を備える。制御部１１１は、検索対象決定部１３０、選局制御部１３１、データ放送検索部１３２を含む。放送受信装置１００には、アンテナ１２０、スピーカ１２１、表示装置１２２が接続される。また、リモコン１２３により放送受信装置１００を操作することができる。
【００１４】
チューナ１０１は、アンテナ１２０を介してデジタル放送信号を受信し、指定されたチャンネルを選局する選局処理を行う。このチューナ１０１は、地上波デジタル放送用チューナ、ＢＳデジタル放送用チューナ、ＣＳデジタル放送用チューナを含む。選局されたチャンネル（周波数帯域）の信号は、復調部１０２に出力される。復調部１０２は、選局されたチャンネルの信号を復調し、誤り訂正等の処理を施して、トランスポート・ストリーム（ＴＳ：Ｔｒａｎｓｐｏｒｔ  Ｓｔｒｅａｍを生成する。デマルチプレクサ１０３は、復調部１０２で生成されたトランスポート・ストリームから必要なストリームを取り出すＤｅＭＵＸ（分離）処理を行う。具体的には、デジタル放送信号に多重されている映像データ、音声データ、番組情報データ、データ放送用データ等を分離・抽出する。音声データは音声デコーダ１０４に出力され、映像データは映像デコーダ１０６に出力され、番組情報データ、データ放送用データはデータ処理部１０８に出力される。
【００１５】
音声デコーダ１０４は、デマルチプレクサ１０３からの音声データを復号してＤ／Ａ（デジタル／アナログ）変換部１０５に出力する。Ｄ／Ａ変換部１０５は、復号されたデジタル形式の音声データをアナログ形式に変換して、スピーカ１２１に出力する。
【００１６】
映像デコーダ１０６は、デマルチプレクサ１０３からの映像データを復号して、表示制御部１０７に出力する。表示制御部１０７は、復号された映像データに、制御部１１１からのグラフィックデータを合成する機能を有する。具体的には、デジタル放送の番組映像にデータ放送画面を合成したり、電子番組表（ＥＰＧ：Ｅｌｅｃｔｒｏｎｉｃ  Ｐｒｏｇｒａｍ  Ｇｕｉｄｅ）やメニュー画面等を合成したりすることができる。表示制御部１０７により合成処理等が施された映像は、表示装置１２２で表示される。
【００１７】
データ処理部１０８は、パケット化されている番組情報データ、データ放送用データを復号して、メモリ１０９に記憶する。番組情報データは、社団法人電波産業会（通称ＡＲＩＢ）における標準規格「デジタル放送に使用する番組配列情報」等で規定されているデータ構造で伝送される。
【００１８】
番組情報データは、以下に挙げる各種テーブルを含む。チャンネル番号や放送局名等、編成チャンネル（サービス）に関する情報が記述されたＳＤＴ（Ｓｅｒｖｉｃｅ  Ｄｅｓｃｒｉｐｔｉｏｎ  Ｔａｂｌｅ：サービス記述テーブル）。複数のチャンネルの放送予定の各番組の番組名や放送日時、番組内容説明等、番組に関する情報が記述されたＥＩＴ（Ｅｖｅｎｔ  Ｉｎｆｏｒｍａｔｉｏｎ  Ｔａｂｌｅ：イベント情報テーブル）。各番組を構成するストリームのパケットＩＤやストリームの種類（映像、音声等）を指定するＰＭＴ（Ｐｒｏｇｒａｍ  Ｍａｐ  Ｔａｂｌｅ：番組対応テーブル）。各番組のＰＭＴを伝送しているパケットを特定するためのＰＡＴ（Ｐｒｏｇｒａｍ  Ａｓｓｏｃｉａｔｉｏｎ  Ｔａｂｌｅ：番組統合テーブル）。伝送路（ネットワーク）における物理的構成に関する情報やネットワークの特性を記述したＮＩＴ（Ｎｅｔｗｏｒｋ  Ｉｎｆｏｒｍａｔｉｏｎ  Ｔａｂｌｅ）。このような番組情報データを利用して、電子番組表が生成されたり、選局処理が行われたりする。
【００１９】
データ放送用データは、ＡＲＩＢにおける標準規格「デジタル放送におけるデータ放送符号化方式と伝送方式」等で規定されるデータ構造で伝送される。データ放送用データは、階層構造（ディレクトリ構造）の複数のページで構成されるデータ放送コンテンツを含む。データ放送コンテンツは、ＰＮＧ（Ｐｏｒｔａｂｌｅ  Ｎｅｔｗｏｒｋ  Ｇｒａｐｈｉｃｓ）形式やＪＰＥＧ（Ｊｏｉｎｔ  Ｐｈｏｔｏｇｒａｐｈｉｃ  Ｅｘｐｅｒｔｓ  Ｇｒｏｕｐ）形式の画像ファイル、テキスト等のモノメディアデータ群である。データ放送コンテンツの各ページは、それぞれＢＭＬファイルで構成される。ＢＭＬファイルには、モノメディアデータの配置情報、各種制御情報等が含まれる。
【００２０】
制御部１１１は、リモコン受光部１１０を介してリモコン１２３からの指示を受け、放送受信装置１００の動作を制御する。この制御部１１１は、検索対象決定部１３０、選局制御部１３１、データ放送検索部１３２を含む。検索対象決定部１３０は、メモリ１０９から番組情報データを取得し、リモコン１２３で入力された検索キーワードに関連するチャンネルをデータ放送検索の対象チャンネルとして決定する。具体的には、複数のチャンネルの放送予定の各番組に関する番組情報の中から、検索キーワードに関連する番組情報を特定し、特定した番組情報に対応するチャンネルを検索対象として決定する。選局制御部１３１は、検索対象として決定されたチャンネルを順次選局するようにチューナ１０１を制御するとともに、選局されたチャンネルのデータ放送用データを抽出するようにデマルチプレクサ１０３を制御する。抽出されたデータ放送用データは、データ処理部１０８で復号されてメモリ１０９に記憶される。データ放送検索部１３２は、メモリ１０９からデータ放送用データを取得し、データ放送コンテンツから検索キーワードに関連する情報を検索する。制御部１１１は、データ放送検索部１３２による検索結果の画面を描画してグラフィックデータを生成し、表示制御部１０７に出力する。この制御部１１１は、メモリ１０９から番組情報データ、データ放送用データ等を取得して、電子番組表（ＥＰＧ：Ｅｌｅｃｔｒｏｎｉｃ  Ｐｒｏｇｒａｍ  Ｇｕｉｄｅ）やメニュー画面、データ放送画面等を描画することもできる。
【００２１】
図２は、データ放送コンテンツから検索キーワードに関連する情報を検索する動作について説明するためのフローチャートである。ステップＳ１００で、制御部１１１は、リモコン１２３およびリモコン受光部１１０を介して、ユーザからのデータ放送検索画面の表示要求を受けると、データ放送検索画面を作成する。そして、表示制御部１０７を介して、表示装置１２２にデータ放送検索画面を表示するように制御する。
【００２２】
図３（Ａ），（Ｂ）は、データ放送検索画面の例を示す図である。図３（Ａ）のデータ放送検索画面では、ユーザがリモコン１２３を操作して文字入力欄１５０にカーソルを合わせ（図中のカーソルは太線で示す）、任意の文字列（「世界遺産」等）を検索キーワードとして入力することができる。そして、ユーザがリモコン１２３を操作して、検索実行ボタン１５１を押下すると、入力した検索キーワードでのデータ放送検索を実行することができる。また、キャンセルボタン１５２を押下すると、入力した検索キーワードでのデータ放送検索をキャンセルすることができる。
【００２３】
検索実行ボタン１５１が押下されると、ステップＳ１０１からステップＳ１０２に進み、制御部１１１の検索対象決定部１３０は、入力された検索キーワードを取得する。検索処理の実行中は、制御部１１１は、例えば図３（Ｂ）に示すような待機画面を、表示装置１２２に表示するように制御する。
【００２４】
次に、ステップＳ１０３で、検索対象決定部１３０は、メモリ１０９に記憶されている番組情報データを取得する。具体的には、地上波デジタル放送、ＢＳデジタル放送、ＣＳデジタル放送の全チャンネルの一週間分の放送予定の番組の番組情報（番組名、番組内容説明、チャンネル番号、放送局名等）を取得する。
【００２５】
続いて、ステップＳ１０４で、検索対象決定部１３０は、検索キーワードと番組情報とを比較し、入力された検索キーワードに関連する番組情報を特定する。具体的には、チャンネル毎に、検索キーワードと放送予定の番組の番組情報とを比較して、検索キーワードと一致する文字列が含まれる番組情報があるか否かを確認する。全チャンネルに対する確認動作が終了し、検索キーワードと一致する文字列が含まれている番組情報が１つ以上あった場合は、ステップＳ１０５に進む。一方、検索キーワードと一致する文字列が含まれている番組情報が１つもない場合は、ステップＳ１１１に進む。
【００２６】
ステップＳ１０５で、検索対象決定部１３０は、検索キーワードと一致する文字列が含まれる番組に対応するチャンネル番号を、該番組の番組情報から取得し、データ放送検索の対象チャンネルとして決定する。ここで、検索キーワードと一致する文字列が含まれる番組が複数のチャンネルに存在する場合は、データ放送検索の対象チャンネルとして複数のチャンネルを決定するとともに、選局順序を決定する。選局順は、チャンネル毎の検索キーワードとの関連度の高い順に決定される。例えば、検索キーワードと一致する文字列の数が多いチャンネルから順番に選局されるように、選局順が決定される。
【００２７】
次に、ステップＳ１０６で、選局制御部１３１は、決定されたチャンネル順でデータ放送検索の対象チャンネルを選局するように、チューナ１０１を制御する。また、選局制御部１３１は、データ放送検索の対象チャンネルのデータ放送用データを抽出するように、デマルチプレクサ１０３を制御する。デマルチプレクサ１０３で抽出されたデータ放送用データは、データ処理部１０８で復号された後、メモリ１０９に記憶される。
【００２８】
ステップＳ１０７で、データ放送検索部１３２は、メモリ１０９からデータ放送検索の対象チャンネルのデータ放送用データを全て取得する。続いて、ステップＳ１０８で、取得したデータ放送用データから、検索キーワードに関連するデータ放送コンテンツのページを検索する。ここで、データ放送コンテンツの１つのページは、１つのＢＭＬファイルに対応する。検索キーワードに一致する文字列を含むページが存在する場合は、ステップＳ１０９からステップＳ１１０に進み、検索キーワードに一致する文字列を含むページが存在しない場合は、ステップＳ１０９からステップＳ１１１に進む。
【００２９】
ステップＳ１１０で、データ放送検索部１３２は、検索キーワードに一致する文字列を含むページ情報を、メモリ１０９に記録する。メモリ１０９に記録されるページ情報は、ＢＭＬファイルのファイル名の他、ＢＭＬファイル内のタイトル情報（項目情報）や、ファイルサイズ、画像ファイルの有無などの情報を含む。
【００３０】
次に、ステップＳ１１１で、制御部１１１は、データ放送検索部１３２によりメモリ１０９に記録された、検索キーワードに一致する文字列を含むページ情報を読み出す。そして、読み出したページ情報に基づいて、データ放送検索結果の画面を描画してグラフィックデータを生成し、表示制御部１０７に出力する。
【００３１】
図４（Ａ）〜（Ｄ）は、データ放送検索結果の画面例を示す図である。図４（Ａ）は、検索キーワードに一致する文字列を含むページが複数見つかった場合のデータ放送検索結果の画面例を示している。この画面では、検索キーワードとの関連度が高いページ順に上からリスト形式で表示される。見つかった各ページについて、画面の左側から順に放送局名１６０、ＢＭＬファイルのタイトル情報１６１、ＢＭＬファイルのデータサイズ１６２、画像ファイルの有無を示す情報１６３が表示される。タイトル情報はＢＭＬファイルのタイトルタグ＜ｔｉｔｌｅ＞から取得され、放送局名は番組情報データから取得される。画像データの有無は、ＢＭＬファイルの中にＰＮＧやＪＰＥＧ等の画像ファイルを参照するためのリンク情報が記述されているか否かにより判断される。
【００３２】
ここで、データ放送検索結果の画面において、ソート（並べ替え）を行えるようにしてもよい。例えば、図４（Ｂ）に示すように、データサイズが小さいページ順にソートしたり、図４（Ｃ）に示すように、画像ファイルの有無に応じたソートをしたりできるようにしてもよい。
【００３３】
図４（Ａ）〜（Ｃ）のデータ放送検索結果の画面で、ユーザが所望のページ情報にカーソルを合わせて選択すると、制御部１１１は、該当するデータ放送用データをメモリ１０９から取得して、図５に示すようなデータ放送画面を作成する。
【００３４】
また、検索キーワードを含む番組情報がなかった場合や、検索キーワードを含むデータ放送コンテンツのページが存在しない場合は、図４（Ｄ）に示すようなデータ放送検索結果の画面が表示される。
【００３５】
図４（Ａ）〜（Ｄ）のデータ放送検索結果の画面の下部には、キーワード変更ボタン１６４、全チャンネル検索ボタン１６５、終了ボタン１６６が表示される。キーワード変更ボタン１６４が押下されると、図３（Ａ）のデータ放送検索画面に戻り、ユーザは任意に検索キーワードを変更して、再度データ放送検索をやり直すことができる。また、全チャンネル検索ボタン１６５が押下されると、検索対象決定部１３０により決定された検索対象のチャンネル以外の全てのチャンネルについて、データ放送検索が実行される。また、終了ボタン１６６が押下されると、データ放送検索が終了する。
【００３６】
なお、ここでは、全チャンネルの一週間分の放送予定の番組の番組情報を全て取得してから、検索対象のチャンネル・選局順を決定して、決定したチャンネルを選局する制御を行う例を挙げたが、これに限定されるものではない。例えば、まず放送日時が現在時刻に近い所定日数分（１日分等）の番組情報だけを取得して、検索対象のチャンネル・選局順を決定し、決定したチャンネルを選局する制御を行うようにしてもよい。そして、検索キーワードに関連する番組情報が見つからなかった場合は、放送日時が次に現在時刻に近い所定日数分（１日分等）の番組情報を取得して、同様の動作を繰り返すようにしてもよい。また、検索対象のチャンネルを決定する動作と並行して、検索対象のチャンネルが１つでも見つかったら即座にそのチャンネルへの選局制御を行って、データ放送検索を行うようにしてもよい。
【００３７】
以上のように、この実施の形態１では、データ放送コンテンツから所望の情報を検索する際に、検索対象とするチャンネルを制限することを特徴とする。データ放送の全チャンネルを選局してデータ収集する必要がないため、大容量の記憶領域を必要とせずに、データ放送コンテンツから所望の情報を効率的に検索することが可能となる。また、データ放送コンテンツから所望の情報を検索する際のユーザの手間が大幅に軽減され、簡単な操作で所望の情報を素早く見つけることが可能となる。
【００３８】
（実施の形態２）
図６は、本発明の実施の形態２に係る放送受信装置２００の構成を示すブロック図である。図６において、図１と同一の構成ついては同一の符号を付し、その詳細な説明は繰り返さない。図６の放送受信装置２００と図１の放送受信装置１００とを比較して異なる点は、制御部１１１の検索対象決定部１３０が制御部２０１の検索対象設定部２０２に置換されている点である。
【００３９】
検索対象設定部２０２は、リモコン受光部１１０を介してリモコン１２３からユーザの指示を受け、データ放送検索の対象チャンネルを設定する機能を有する。
【００４０】
図７は、この実施の形態２における、データ放送コンテンツから検索キーワードに関連する情報を検索する動作について説明するためのフローチャートである。ステップＳ２００で、制御部１１１は、リモコン１２３およびリモコン受光部１１０を介して、ユーザからのデータ放送検索画面の表示要求を受けると、データ放送検索画面を作成する。そして、表示制御部１０７を介して、表示装置１２２にデータ放送検索画面を表示するように制御する。
【００４１】
図８は、この実施の形態２におけるデータ放送検索画面の例を示す図である。図８のデータ放送検索画面では、ユーザがリモコン１２３を操作して文字入力欄２５０にカーソルを合わせ（図中のカーソルは太線で示す）、任意の文字列（「世界遺産」等）を検索キーワードとして入力することができる。また、ユーザは、リモコン１２３を操作してカーソルをセレクトボックス２５１に合わせて、左右ボタンにより地上波デジタル放送／ＢＳデジタル放送／ＣＳデジタル放送の中から任意の放送ネットワークを選択することができる。さらに、セレクトボックスル２５２にカーソルを合わせて、左右ボタンにより任意の放送局（放送局名「ＡＢＣ」等）を選択することができる。
【００４２】
メモリ１０９には、放送ネットワーク（地上波デジタル放送／ＢＳデジタル放送／ＣＳデジタル放送）の種別と、各放送ネットワークに対応する放送局名と、各放送局に対応するチャンネル番号との対応関係が定められたテーブルが予め記憶される。検索対象設定部２０２は、メモリ１０９に記憶された上記テーブルを読み出して、ユーザに指定された放送ネットワーク・放送局に対応するチャンネル番号を特定し、検索対象のチャンネルとして設定する。
【００４３】
このようにしてユーザは放送ネットワークおよび放送局を指定することにより、データ放送検索の対象チャンネル（「１５１」ｃｈ）を任意に設定することができる。設定された検索対象チャンネルは、ボックス２５３に表示される。選択された放送局が複数のチャンネルを有する場合は、検索対象チャンネルが複数表示され、ユーザは複数の検索対象チャンネルの中から１つのチャンネルを選択することもできる。
【００４４】
なお、ユーザは、放送ネットワークのみ若しくは放送局のみを指定することもできる。例えば、放送ネットワーク「地上波デジタル放送」を選択し、放送局を指定しない場合は、地上波デジタル放送の全チャンネルが検索対象のチャンネルとして設定される。また、放送局「ＡＢＣ」を選択し、放送ネットワークを指定しない場合は、地上波デジタル放送／ＢＳデジタル放送／ＣＳデジタル放送のそれぞれに対応する放送局「ＡＢＣ」のチャンネルが検索対象のチャンネルとして設定されることになる。
【００４５】
そして、ユーザがリモコン１２３を操作して、検索実行ボタン２５４を押下すると、入力した検索キーワードに関連するデータ放送コンテンツを、設定した検索対象のチャンネルで検索することができる。また、キャンセルボタン２５５を押下すると、入力した検索キーワードでのデータ放送検索をキャンセルすることができる。
【００４６】
検索実行ボタン２５４が押下されると、ステップＳ２０１からステップＳ２０２に進み、制御部２０１の検索対象設定部２０２は、入力された検索キーワードを取得する。続いて、ステップＳ２０３で、設定された検索対象のチャンネル情報を取得する。
【００４７】
次に、ステップＳ２０４で、選局制御部１３１は、データ放送検索の対象チャンネルとして設定されたチャンネルを選局するように、チューナ１０１を制御する。また、選局制御部１３１は、データ放送検索の対象チャンネルのデータ放送用データを抽出するように、デマルチプレクサ１０３を制御する。デマルチプレクサ１０３で抽出されたデータ放送用データは、データ処理部１０８で復号された後、メモリ１０９に記憶される。
【００４８】
ステップＳ２０５からステップＳ２０９の動作は、図１で説明したステップＳ１０７からステップＳ１１１の動作と同様であるため、ここでは説明は繰り返さない。
【００４９】
したがって、この実施の形態２では、実施の形態１と同様の効果が得られる。さらに、実施の形態２では、データ放送検索の対象とする放送ネットワークおよび放送局をユーザが任意に選択することにより、データ放送検索の対象チャンネルをユーザが自由に設定することができる。したがって、検索対象とするチャンネルをユーザがある程度わかっている場合は、さらに効率的なデータ放送検索が可能となり、所望の情報をより素早く見つけることができる。
【符号の説明】
【００５０】
１００  放送受信装置
１０１  チューナ
１０２  復調部
１０３  デマルチプレクサ
１０４  音声デコーダ
１０５  Ｄ／Ａ変換器
１０６  映像デコーダ
１０７  表示制御部
１０８  データ処理部
１０９  メモリ
１１０  リモコン受光部
１１１  制御部
１２３  リモコン
１３０  検索対象決定部
１３１  選局制御部
１３２  データ放送検索部
【図１】
2010258690.tif 000003
【図２】
2010258690.tif 000004
【図３】
2010258690.tif 000005
【図４】
2010258690.tif 000006
【図５】
2010258690.tif 000007
【図６】
2010258690.tif 000008
【図７】
2010258690.tif 000009
【図８】
2010258690.tif 000010